(57)【要約】      （修正有）【課題】タッチセンサの異常状態を報知する炊飯器を提供する。【解決手段】外蓋パネルが上部に取り付けられた外蓋と、外蓋パネルの下方に位置する第１電極３７ａ、第２電極３７ｂ、および、第３電極３７ｃと、第１電極に接続された第１配線４１ａ、第２電極に接続された第２配線４１ｂ、および、第３電極に接続された第３配線４１ｃと、が配置されたフィルム３１を有するタッチセンサ３０と、タッチセンサの異常状態を検出するセンサ異常検出部と、タッチセンサの異常状態を報知する報知部と、を備え、第３配線は、第１配線および第２配線よりもフィルムの外周縁の近くに配置され、センサ異常検出部は、第３電極の静電容量値に基づいてタッチセンサの異常状態を検出する炊飯器である。【選択図】図４
2019041968.tif 000002
【特許請求の範囲】
【請求項１】
外蓋パネルが上部に取り付けられた外蓋と、
前記外蓋パネルの下方に位置する第１電極、第２電極、および、第３電極と、前記第１電極に接続された第１配線、前記第２電極に接続された第２配線、および、前記第３電極に接続された第３配線と、が配置されたフィルムを有する静電容量式かつ自己容量式のタッチセンサと、
前記第１配線、前記第２配線、および、前記第３配線のそれぞれと接続され、前記タッチセンサの異常状態を検出するセンサ異常検出部と、
前記センサ異常検出部により検出された前記タッチセンサの異常状態を報知する報知部と、
を備え、
前記第３配線は、前記第１配線および前記第２配線よりも前記フィルムの外周縁の近くに配置され、
前記センサ異常検出部は、前記第３電極の静電容量値に基づいて前記タッチセンサの異常状態を検出する、
炊飯器。
【請求項２】
前記センサ異常検出部は、前記第１電極、前記第２電極、および、前記第３電極のそれぞれの静電容量値の順位を検出し、前記第１電極、前記第２電極、および、前記第３電極のそれぞれの静電容量値の順位変化に基づいて前記タッチセンサの異常状態を検出する、
請求項１に記載の炊飯器。
【請求項３】
前記外蓋パネルを挟んで前記外蓋パネルの外面上に、前記第１電極および前記第２電極のそれぞれと対向して配置される第１入力部、および、第２入力部を備え、
前記第３電極は対向して配置される入力部のない電極である、
請求項１または２に記載の炊飯器。
【請求項４】
前記第３電極は前記第１電極および前記第２電極の周囲を囲むように配置されている、
請求項３に記載の炊飯器。
【請求項５】
前記外蓋パネルを間に挟んで前記外蓋パネルの外面上に、前記第１電極、前記第２電極、および、前記第３電極のそれぞれと対向して配置される第１入力部、第２入力部、および、第３入力部を備える、
請求項１または２に記載の炊飯器。
【請求項６】
前記第３電極の面積は、前記第１電極および前記第２電極の面積よりも大きい
請求項１から５のいずれか１つに記載の炊飯器。
【請求項７】
前記フィルムは、前記第１電極、前記第２電極、および、前記第３電極が配置されたフィルム本体部と、前記フィルム本体部と前記センサ異常検出部との間に位置し、前記第１配線、前記第２配線および前記第３配線のそれぞれの一部が配置されたフィルム配線部と、前記フィルム配線部の一方の外周縁と前記フィルム本体部の外周縁とが接続するカーブ形状の第１接続部と、前記フィルム配線部の他方の外周縁と前記フィルム本体部の外周縁とが接続するカーブ形状の第２接続部とを有し、
前記第２接続部は前記第１接続部よりも曲率半径が小さく、
前記第３配線は、前記第１配線および第２配線よりも前記第２接続部の近くに配置されている、
請求項１から５のいずれか１つに記載の炊飯器。
【請求項８】
前記第１電極、前記第２電極、および、前記第３電極の下面にそれぞれカーボン膜を有する
請求項１から７のいずれか１つに記載の炊飯器。
【請求項９】
前記第１電極の下方にＬＥＤを備え、
前記第１電極には、ＬＥＤの光が通過する孔を有する
請求項１から８のいずれか１つに記載の炊飯器。
【請求項１０】
前記フィルムは、前記外蓋パネルに対する位置決め用の位置決め部を有する、
請求項１から９のいずれか１つに記載の炊飯器。
【請求項１１】
前記外蓋パネルはアクリル製であり、
前記フィルムはアクリル系粘着材により前記外蓋パネルの下面に貼り付けられている、
請求項１から１０のいずれか１つに記載の炊飯器。
【請求項１２】
前記第２配線は、前記第１配線と前記第３配線との間に配置され、
前記センサ異常検出部は、前記第１電極の静電容量値に基づいて異常状態を検出する
請求項１から１１のいずれか１つに記載の炊飯器。
【発明の詳細な説明】
【技術分野】
【０００１】
本開示は、炊飯器に関し、特に炊飯器の操作部に関する。
【背景技術】
【０００２】
従来、炊飯器の外蓋の上面には、炊飯器に種々の指示をする操作部が配置されている。操作部として、プッシュボタンを用いた操作部や、タッチセンサを用いた操作部がある。タッチセンサを用いた操作部であれば、炊飯器の外蓋に突出部を設けなくてもよい。これにより、ユーザは外蓋を拭きやすくなる。タッチセンサとして、タッチパネルディスプレイを備えた炊飯器が、特許文献１に記載されている。
【０００３】
特許文献１には、液晶表示器からなる表示手段の上方に、光透過性を有するタッチパネルによる操作手段を設けている。表示手段には、操作キーを示すキー表示がされる。このキー表示に対向して、操作手段の入力受付部位を組み合わせることで各種操作キーを仮想的に形成している。
【先行技術文献】
【特許文献】
【０００４】
【特許文献１】特開２０１５−１７３７８７号公報
【発明の概要】
【発明が解決しようとする課題】
【０００５】
しかしながら、タッチパネルのタッチセンサが機械的に壊れていても、プッシュボタン式の操作部に比べて、ユーザは、外観上異常状態に気づきにくい。また、タッチパネルのタッチセンサが電気的に壊れていると、ユーザは、外観から異常状態を知ることができない。このように、タッチセンサが機械的に、または、電気的に壊れていると、炊飯器の操作ができなくなる。また、炊飯器から、これらのタッチセンサの異常状態についてユーザに報知されない。したがって、ユーザ自身が異常状態の操作部を使用しない限り、ユーザはその異常状態を知ることができない。この結果、炊飯器を使用する段階で初めてタッチセンサの異常状態に気づくことになる。
【０００６】
従って、本開示の目的は、前記課題を解決することにあって、タッチセンサの異常状態を報知する炊飯器を提供することにある。
【課題を解決するための手段】
【０００７】
前記目的を達成するために、本開示の一態様に係る炊飯器は、
外蓋パネルが上部に取り付けられた外蓋と、
前記外蓋パネルの下方に位置する第１電極、第２電極、および、第３電極と、前記第１電極に接続された第１配線、前記第２電極に接続された第２配線、および、前記第３電極に接続された第３配線と、が配置されたフィルムを有する静電容量式かつ自己容量式のタッチセンサと、
前記第１配線、前記第２配線、および、前記第３配線のそれぞれと接続され、前記タッチセンサの異常状態を検出するセンサ異常検出部と、
前記センサ異常検出部により検出された前記タッチセンサの異常状態を報知する報知部と、
を備え、
前記第３配線は、前記第１配線および前記第２配線よりも前記フィルムの外周縁の近くに配置され、
前記センサ異常検出部は、前記第３電極の静電容量値に基づいて前記タッチセンサの異常状態を検出する。
【発明の効果】
【０００８】
タッチセンサの異常状態を報知する炊飯器を提供することができる。
【図面の簡単な説明】
【０００９】
【図１】実施形態に係る炊飯器の模式断面図である。
【図２】図１の炊飯器を模式的に示す斜視図である。
【図３】図１の炊飯器の外蓋の分解斜視図である。
【図４】電極が配置されたフィルムの平面図である。
【図５】外蓋の部分断面図である。
【図６】外蓋の部分拡大断面図である。
【図７】操作部の機能ブロック図である。
【図８】異常状態を示す説明図である。
【図９】正常状態での静電容量値の順位を示すグラフ図である。
【図１０】異常状態での静電容量値の順位を示すグラフ図である。
【図１１】ローパスフィルタの回路図である。
【図１２】変形例に係る電極が配置されたフィルムの平面図である。
【図１３】変形例に係る電極が配置されたフィルムの平面図である。
【発明を実施するための形態】
【００１０】
本開示の一態様によれば、蓋パネルが上部に取り付けられた外蓋と、前記蓋パネルの下方に位置する第１電極、第２電極、および、第３電極と、前記第１電極に接続された第１配線、前記第２電極に接続された第２配線、および、前記第３電極に接続された第３配線と、が配置されたフィルムを有する静電容量式かつ自己容量式のタッチセンサと、前記第１配線、前記第２配線、および、前記第３配線のそれぞれと接続され、前記タッチセンサの異常状態を検出するセンサ異常検出部と、前記センサ異常検出部により検出された前記タッチセンサの異常状態を報知する報知部と、を備え、前記第３配線は、前記第１配線および前記第２配線よりも前記フィルムの外周縁の近くに配置され、前記センサ異常検出部は、前記第３電極の静電容量値に基づいて前記タッチセンサの異常状態を検出する、炊飯器である。
【００１１】
また、前記センサ異常検出部は、前記第１電極、前記第２電極、および、前記第３電極のそれぞれの静電容量値の順位を検出し、前記第１電極、前記第２電極、および、前記第３電極のそれぞれの静電容量値の順位変化に基づいて前記タッチセンサの異常状態を検出してもよい。
【００１２】
また、前記外蓋パネルを挟んで前記外蓋パネルの外面上に、前記第１電極および前記第２電極のそれぞれと対向して配置される第１入力部、および、第２入力部を備え、
前記第３電極は対向して配置される入力部のない電極でもよい。
【００１３】
また、前記第３電極は前記第１電極および前記第２電極の周囲を囲むように配置されていてもよい。
【００１４】
また、前記蓋パネルを間に挟んで前記蓋パネルの外面上に、前記第１電極、前記第２電極、および、前記第３電極のそれぞれと対向して配置される第１入力部、第２入力部、および、第３入力部を備えてもよい。
【００１５】
また、前記第３電極の面積は、他の前記第１電極および前記第２電極の面積よりも大きくてもよい。
【００１６】
また、前記フィルムは、前記第１電極、前記第２電極、および、前記第３電極が配置されたフィルム本体部と、前記フィルム本体部と前記センサ異常検出部との間に位置し、前記第１配線、前記第２配線および前記第３配線のそれぞれの一部が配置されたフィルム配線部と、前記フィルム配線部の一方の外周縁と前記フィルム本体部の外周縁とが接続するカーブ形状の第１接続部と、前記フィルム配線部の他方の外周縁と前記フィルム本体部の外周縁とが接続するカーブ形状の第２接続部とを有し、前記第２接続部は前記第１接続部よりも曲率半径が小さく、前記第３配線は、前記第１配線および第２配線よりも前記第２接続部の近くに配置されてもよい。
【００１７】
また、前記第１電極、前記第２電極、および、前記第３電極の下面にそれぞれカーボン膜を有してもよい。
【００１８】
また、前記第１電極の下方にＬＥＤを備え、前記第１電極には、ＬＥＤの光が通過する孔を有してもよい。
【００１９】
また、前記フィルムは、前記蓋パネルに対する位置決め用の位置決め部を有してもよい。
【００２０】
また、前記蓋パネルはアクリル製であり、前記フィルムはアクリル系粘着材により前記蓋パネルの下面に貼り付けられていてもよい。
【００２１】
また、前記第２配線は、前記第１配線と前記第３配線との間に配置され、前記センサ異常検出部は、前記第１電極の静電容量値に基づいて異常状態を検出してもよい。
【００２２】
（実施形態）
以下に、本開示の実施形態に係る炊飯器について説明する。図１は、本開示の実施形態に係る炊飯器の模式断面図である。図２は、本開示の実施形態に係る炊飯器の斜視図である。
【００２３】
図１に示すように、本実施形態に係る炊飯器は、内部に鍋収納部１ａが形成された略有底筒状の炊飯器本体１と、鍋収納部１ａに収納され、米や水などの被調理物が入れられる鍋２とを備えている。炊飯器本体１の上部には、炊飯器本体１の上部開口を開閉可能な中空構造の外蓋３が取り付けられている。外蓋３の内側（鍋２の上部開口を覆う側）には、鍋２の上部開口を密閉可能な略円盤状の内蓋４が着脱可能に取り付けられている。本実施形態においては、外蓋３と内蓋４とで、鍋２の開口を開閉自在に覆う蓋体が構成されている。
【００２４】
炊飯器本体１の鍋収納部１ａは、上枠１ｂとコイルベース１ｃとで構成されている。上枠１ｂは、収納された鍋２の側壁に対して所定の隙間が空くように配置される筒状部１ｂａと、筒状部１ｂａの上部から外方に突出し炊飯器本体１の上部開口部の内周部に嵌合するフランジ部１ｂｂとを備えている。筒状部１ｂａの上端は、鍋２の上部開口部の周囲に設けられたフランジ部２ａを支持している。
【００２５】
コイルベース１ｃは、鍋２の下部の形状に対応して有底筒状に形成され、その上部が上枠１ｂの筒状部１ｂａの下端部に取り付けられている。コイルベース１ｃの外周面には、鍋２を加熱（誘導加熱）する加熱部の一例である鍋底加熱ユニット５が取り付けられている。鍋底加熱ユニット５は、底内加熱コイル５ａと底外加熱コイル５ｂとで構成されている。底内加熱コイル５ａは、コイルベース１ｃを介して鍋２の底部の中央部周囲に対向するように配置されている。底外加熱コイル５ｂは、コイルベース１ｃを介して鍋２の底部のコーナー部に対向するように配置されている。
【００２６】
コイルベース１ｃの底部の中央部分には開口が設けられている。当該開口には、鍋２の温度を測定するための鍋温度検知部の一例である鍋温度センサ６が、鍋収納部１ａに収納された鍋２の底部に当接可能に配置されている。鍋２の温度は鍋２内の被調理物の温度と略同じであるので、鍋温度センサ６が鍋２の温度を検知することで、鍋２内の被調理物の温度を検知することができる。
【００２７】
外蓋３は、外蓋３の上面外郭を構成する外蓋パネル３ａと外蓋パネル３ａが嵌め込まれる外蓋本体部３ｂとを備えている。外蓋３の上部に取り付けられた外蓋パネル３ａは、例えば、アクリル製であり、外蓋本体部３ｂはＡＢＳ樹脂で形成されている。また、外蓋３は、ヒンジ軸３Ａを備えている。ヒンジ軸３Ａは、外蓋３の開閉軸であり、炊飯器本体１の上枠１ｂに両端部を回動自在に固定されている。ヒンジ軸３Ａの周囲には、ねじりコイルばね７が取り付けられている。ねじりコイルばね７は、ヒンジ軸３Ａを中心として外蓋３を鍋２の上部開口部から離れる方向（開方向）に弾性的に付勢する。
【００２８】
外蓋３の内部には、蓋開放装置８が設けられている。蓋開放装置８は、炊飯器本体１の一部に係合することにより、外蓋３が鍋２の上部開口部を塞いだ状態を保持する。一方、蓋開放装置８は、外蓋３が鍋２の上部開口部を塞いだ状態で外蓋３に設けられた開蓋ボタン８Ｂ（図２参照）が押圧されたとき、フック軸８Ａを中心に矢印Ａ１方向に回転する。これにより、蓋開放装置８と炊飯器本体１の一部との係合が外れ、外蓋３が、ねじりコイルばね７の付勢力によりヒンジ軸３Ａを中心として鍋２の上部開口部から離れる方向に回転する。これにより、外蓋３が、鍋２の上部開口部を塞いでいない開状態になる。なお、外蓋３は、例えば、鍋２の上部開口部を塞いだ位置からヒンジ軸３Ａを中心として９０度回転すると、当該回転を停止するように構成されている。
【００２９】
外蓋パネル３ａのヒンジ軸３Ａの近傍には、凹部３ｄが設けられている。凹部３ｄには、蒸気筒９が着脱可能に取り付けられている。凹部３ｄの底部には、鍋２内の余分な蒸気を蒸気筒９に向けて排出できるように、蒸気逃がし穴３ｄａが設けられている。蒸気筒９の上壁には、鍋２内の余分な蒸気を炊飯器の外部に排出できるように、蒸気逃がし穴９ａが設けられている。鍋２内から蒸気逃がし穴９ａまでの蒸気排出経路のいずれかの箇所に、蒸気の温度を検知する蒸気温度センサ（図示せず）が設けられている。
【００３０】
内蓋４には、鍋２内の蒸気を排出するための蒸気排出穴４ａと、鍋２内と蓋体内とを連通する蒸気排出穴４ｂとが設けられている。蒸気排出穴４ｂの直径は、蒸気排出穴４ａの直径よりも大きく、例えば、蒸気排出穴４ａの直径の２倍以上に設定されている。蒸気排出穴４ａの直径は、例えば４ｍｍであり、蒸気排出穴４ｂの直径は、例えば１０ｍｍである。
【００３１】
また、内蓋４には、蒸気排出穴４ａを開閉可能な圧力抑制弁１０と、蒸気排出穴４ｂを開閉可能な圧力弁１１とが設けられている。
【００３２】
圧力抑制弁１０は、鍋２内の圧力が大気圧より高い所定値（例えば、１．２気圧）以上に上昇することを抑制する弁である。本実施の形態において、圧力抑制弁１０は、ボールにより構成され、自重により蒸気排出穴４ａを閉塞する。一方、圧力抑制弁１０は、鍋２内の圧力が自重よりも大きくなったとき（例えば、１．２気圧以上になったとき）、鍋２内の圧力のみに押されて蒸気排出穴４ａから離れ、蒸気排出穴４ａを開放する。なお、圧力抑制弁１０は、蒸気排出穴４ａを閉塞する閉塞部材と、蒸気排出穴４ａを閉塞するように閉塞部材を付勢するバネとで構成されてもよい。この構成によれば、鍋２内の圧力が大気圧より高い所定値以上に上昇したとき、当該圧力によりバネの付勢力に抗して閉塞部材が移動し、蒸気排出穴４ａが開放される。
【００３３】
圧力弁１１は、蒸気排出穴４ｂを閉塞する閉塞位置と蒸気排出穴４ｂを開放する開放位置との間で移動するように構成されている。
【００３４】
外蓋３には、蒸気排出穴４ｂを開閉するように圧力弁１１を閉塞位置と開放位置との間で移動させる圧力弁移動機構１２が設けられている。圧力弁移動機構１２は、圧力弁１１を所定値（例えば、１．２気圧）よりも大きな圧力で圧力弁１１を押圧して、圧力弁１１を閉塞位置で保持するように構成されている。これにより、鍋２内の圧力を昇圧（例えば、１．０気圧から１．２気圧に昇圧）することができる。また、圧力弁移動機構１２は、鍋２内の圧力が所定値（例えば、１．２気圧）以上になった所定のタイミングで、後述する制御部１３の制御により、圧力弁１１を閉塞位置から開放位置に移動させるように構成されている。これにより、鍋２内の圧力を減圧（例えば、１．２気圧から１．０気圧に減圧）させることができる。
【００３５】
また、炊飯器本体１の内部には、制御部１３が搭載されている。制御部１３は、ＣＰＵとメモリ等の記憶部を含む。記憶部には、米を炊飯するための炊飯シーケンスを複数記憶されている。ここで、「炊飯シーケンス」とは、予熱、昇温、沸騰維持、蒸らしの主として４つの工程を順に行うにあたって、各工程において通電時間、加熱温度、加熱時間、加熱出力等が予め決められている炊飯の手順をいう。各炊飯シーケンスは、複数の炊飯コースのいずれかにそれぞれ対応している。制御部１３は、選択された炊飯コース及び鍋温度センサ６の検知温度に基づいて、鍋底加熱ユニット５と、圧力弁移動機構１２とを制御し、炊飯工程を実行する。
【００３６】
また、外蓋３には、炊飯コース、炊飯時間などの各種情報を表示する表示部１４が取り付けられている。表示部１４は、例えば、液晶ディスプレイである。
【００３７】
また、外蓋３は、炊飯コースの選択や取り消しなどの実行を指示する操作部１５が配置されている。操作部１５は、ユーザの指が接触する入力部２１と、入力部２１に接触したことを検出するタッチセンサ３０とを備える。入力部２１は、外蓋３の外表面に示された特定の領域である。
【００３８】
入力部２１は、例えば、米の種類を選択可能な第１入力部２１ａと、複数の炊飯コースの中から特定の炊飯コースを選択可能な第２入力部２１ｂと、保温の実行を指示する第３入力部２１ｃと、種々の実行されている指示を取り消す第４入力部２１ｄと、予約の実行を指示する第５入力部２１ｅと、炊飯の開始を指示する第６入力部２１ｆと、種々の選択された項目を決定する第７入力部２１ｇと、表示部１４に表示される選択項目を前方向に変更する第８入力部２１ｈと、表示部１４に表示される選択項目を後ろ方向に変更する第９入力部２１ｉとを備える。ユーザは、表示部１４に表示された各種情報を参照しつつ、第１入力部２１ａ〜第９入力部２１ｉに接触することで炊飯器に種々の指示をすることができる。
【００３９】
次に、図３および図４を参照して、外蓋３に取り付けられたタッチセンサ３０について説明する。図３は、外蓋３の分解斜視図である。図４は、電極が配置されたフィルムの平面図である。静電容量式かつ自己容量式のタッチセンサ３０は、フィルム３１に配置された電極３７と、電極３７に接続された配線４１とを含む。外蓋３内には、入力部２１と対向して配置された電極３７を有するフィルム３１と、表示部１４が固定された基板３３とが収納されている。外蓋本体部３ｂの中空部分に基板ホルダ３５が嵌め込まれ、基板３３は基板ホルダ３５に支持されている。
【００４０】
フィルム３１は電極３７が配置されたＵ字形のフィルム本体部３１ａと、電極３７に接続される配線４１の一部が配置された帯状のフィルム配線部３１ｂとを有する。フィルム３１は、無色透明の回路用フィルムであり、例えば、ＰＥＴ（Polyethylene terephthalate）製である。フィルム配線部３１ｂは、複数回折り曲げられてコネクタを介してコントローラＩＣ４０と接続される。フィルム本体部３１ａの下面には、第１電極３７ａ、第２電極３７ｂ、第３電極３７ｃ、第４電極３７ｄ、第５電極３７ｅ、第６電極３７ｆ、第７電極３７ｇ、第８電極３７ｈ、第９電極３７ｉが配置されている。また、第１電極３７ａ〜第９電極３７ｉの周囲には保護電極３９が配置されている。なお、第１電極３７ａから第９電極３７ｉを総称して電極３７とする。電極３７および保護電極３９は、蓋パネル３ａの下方に位置する。
【００４１】
フィルム本体部３１ａに配置された各電極３７は、コントローラＩＣ４０と配線４１を介して接続されている。すなわち、第１電極３７ａは第１配線４１ａにより、第２電極３７ｂは第２配線４１ｂにより、第３電極３７ｃは第３配線４１ｃにより、第４電極３７ｄは第４配線４１ｄにより、第５電極３７ｅは第５配線４１ｅにより、第６電極３７ｆは第６配線４１ｆにより、第７電極３７ｇは第７配線４１ｇにより、第８電極３７ｈは第８配線４１ｈにより、第９電極３７ｉは第９配線４１ｉにより、コントローラＩＣ４０と接続されている。また、保護電極３９は、第１０配線４３によりコントローラＩＣ４０と接続されている。なお、第１配線４１ａ〜第９配線４１ｉを総称して配線４１とする。各配線４１および第１０配線４３は、フィルム本体部３１ａおよびフィルム配線部３１ｂ上に形成されている。第１０配線４３は、第１配線４１ａ〜第９配線４１ｉよりもフィルム３１の外周縁３１ｄの近くに配置されている。
【００４２】
保護電極３９は、第１入力部２１ａから第３入力部２１ｃの周囲を取り囲むように配置された左電極部３９ａと、第４入力部２１ｄから第６入力部２１ｆの周囲を取り囲むように配置された中央電極部３９ｂと、第７入力部２１ｇから第９入力部２１ｉの周囲を取り囲むように配置された右電極部３９ｃとを備える。左電極部３９ａ、中央電極部３９ｂ、および、右電極部３９ｃはそれぞれ接続されている。左電極部３９ａの前端部３９ａａにおいて、保護電極３９は第１０配線と接続されている。また、右電極部３９ｃの前端部３９ｃａからフィルム本体部３１ａとフィルム配線部３１ｂとの接続部に向けて第１１配線３４が延びている。第１０配線および第１１配線は、各配線４１よりもフィルム３１の外側縁の近くに配置されている。保護電極３９の面積は、第１電極３７ａ〜第９電極３７ｉのそれぞれの面積よりも大きい。
【００４３】
保護電極３９には、対応する入力部がないので、ユーザの指による接触により、静電容量値が所定値を超えてＯＮ状態になることがない。しかしながら、外蓋パネル３ａ上に水や異物が付着したりしてＯＮ状態になる場合がある。この場合、他の電極３７も誤ってＯＮ状態になる可能性があるので、制御部１３は、保護電極３９がＯＮ状態の場合には、他の入力部２１からの入力を受け付けないように制御する。
【００４４】
フィルム本体部３１ａは粘着シート３２により外蓋パネル３ａに固定されているが、フィルム配線部３１ｂは固定されていない。したがって、外蓋３を開閉するたびにフィルム配線部３１ｂは揺れるので、フィルム本体部３１ａとフィルム配線部３１ｂとの接続部に機械的ストレスがかかりやすい。また、ユーザが外蓋３を開けた際に、外蓋３が棚などに当たると、その衝撃ストレスがフィルム本体部３１ａとフィルム配線部３１ｂとの接続部にかかる。この結果、フィルム本体部３１ａとフィルム配線部３１ｂとの接続部に切れ目が入りやすい。
【００４５】
フィルム配線部３１ｂの左外周縁とフィルム本体部３１ａの外周縁との接続部Ｐ１は、カーブ形状を有する。また、フィルム配線部３１ｂの右外周縁とフィルム本体部３１ａの外周縁との接続部Ｐ２もカーブ形状を有する。これらの接続部Ｐ１、Ｐ２は直角形状であるよりも、カーブ形状の方が、接続部分に切れ目が入りにくい。また、このカーブ形状の曲率半径を大きくすると、切れ目がより入りにくくなる。第１０配線４３は、配線４１よりも接続部分Ｐ１の近くに配置されている。
【００４６】
また、図４に示されるように、第３電極３７ｃ、第５電極３７ｅ、および、第６電極３７ｆには、それぞれ、貫通孔３７ｃａ、３７ｅａ、３７ｆａが形成されている。各貫通孔３７ｃａ、３７ｅａ、３７ｆａの延長上に相当するフィルム本体部３１ａの領域にも貫通孔が形成されている。第３電極３７ｃ、第５電極３７ｅ、および、第６電極３７ｆの下方にはＬＥＤが配置されている。これらの貫通孔３７ｃａ、３７ｅａ、３７ｆａにより、ＬＥＤの光量が電極およびフィルム３１で低減するのを防止することができる。さらには、ＬＥＤに対してフィルム３１が少しずれて配置されたとしても、ＬＥＤの光の拡散により各貫通孔３７ｃａ、３７ｅａ、３７ｆａを通してＬＥＤの光を見ることができる。
【００４７】
また、フィルム３１は、外蓋パネル３ａに対する位置決め用の位置決め部３１ｃを有しているので、フィルム３１を粘着シート３２を用いて外蓋パネル３ａに貼り付ける際に、フィルム３１が回転するのを防止することができる。これにより、入力部２１と電極３７との位置ずれを防止し、操作部１５が誤動作するのを防止することができる。位置決め部３１ｃは、凹部、孔などの形状を有し、外蓋パネル３ａの内面から下方に突出した突出部と嵌合する。
【００４８】
図５および図６を参照する。図５は、外蓋の部分断面図である。図６は、外蓋の部分拡大断面図である。フィルム本体部３１ａの下面に配置された各電極３７が外蓋パネル３ａ上の各入力部２１と対向するように、フィルム本体部３１ａは外蓋パネル３ａの下面に粘着シート３２により固定される。すなわち、第１電極３７ａは第１入力部２１ａと対向し、第２電極３７ｂは第２入力部２１ｂと対向し、第３電極３７ｃは第３入力部２１ｃと対向し、第４電極３７ｄは第４入力部２１ｄと対向し、第５電極３７ｅは第５入力部２１ｅと対向し、第６電極３７ｆは第６入力部２１ｆと対向し、第７電極３７ｇは第７入力部２１ｇと対向し、第８電極３７ｈは第８入力部２１ｈと対向し、第９電極３７ｉは第９入力部２１ｉと対向する。
【００４９】
粘着シート３２は、アクリル系の粘着材を用いており、例えば、アクリル系不織布粘着材で形成されている。アクリル素材の外蓋パネル３ａの下面に、アクリル系粘着材の粘着シート３２を用いてフィルム３１を貼り付けるので、外蓋パネル３ａと粘着シート３２との相性がよく、密着性を向上させることができる。
【００５０】
外蓋パネル３ａ、粘着シート３２、および、フィルム３１は誘電体層として機能する。ユーザがいずれかの入力部２１に接触すると、接触した入力部２１に対向する電極３７の静電容量値が増大する。この増大した静電容量値をコントローラＩＣ４０が検出することで、ユーザが接触した入力部２１を検出することができる。
【００５１】
電極３７および保護電極３９の下面には、カーボン膜４５が形成されている。フィルム３１に電極３７および保護電極３９の銀パターンを形成した後、カーボンをマスク印刷することでカーボン膜４５を形成する。カーボン膜４５は、電極３７および保護電極３９を覆うようにその面積を電極３７および保護電極３９よりも大きく形成してもよい。電極３７および保護電極３９の下面がカーボン膜４５でコーティングされることで、内蓋４から漏れた蒸気による誤作動を防止することができる。なお、電極３７、保護電極３９およびカーボン膜４５にさらに、オーバーコートで保護層をつけてもよい。
【００５２】
基板３３の下面には、電極３７と接続されたコントローラＩＣ４０と、コントローラＩＣと接続された制御部１３とが配置されている。また、基板３３の上面には、制御部１３と接続された表示部１４が配置されている。
【００５３】
次に、図７を参照する。図７は、操作部の機能ブロック図である。コントローラＩＣ４０は、タッチセンサ３０の異常状態を検出する。コントローラＩＣは、ユーザがどの入力部２１にも接触していない状態の各電極３７および保護電極３９の静電容量値を検出し、それらの静電容量値の順位を検出する。また、検出された静電容量値の順位が所定の順位であるかを判別する。コントローラＩＣ４０は、検出された静電容量値の順位が所定の順位であれば、タッチセンサ３０は正常状態であると判断し、検出された静電容量値の順位が所定の順位でなければタッチセンサ３０は異常状態であると判断する。コントローラＩＣ４０は、マイクロプロセッサまたはＦＰＧＡを備える。また、コントローラＩＣ４０は、メモリを備えていてもよい。メモリには、異常状態を検出する際にマイクロプロセッサまたはＦＰＧＡによって実行可能な制御ソフトウェアが格納されている。また、コントローラＩＣ４０は、制御部１３と統合されていてもよい。
【００５４】
制御部１３は、電源コードが差し込まれるなど炊飯器の電源が投入されると、タッチセンサ３０が正常であるか異常であるかの判定を実施するようにコントローラＩＣ４０に指示する。また、制御部１３は、コントローラＩＣ４０からタッチセンサ３０が異常であること示す信号が入力されると、表示部１４に、タッチセンサ３０が異常であることを示す画像を表示する。表示部１４には、例えば、図８に示す案内が表示されるので、ユーザはタッチセンサ３０の異常を知ることができる。
【００５５】
次に、コントローラＩＣ４０がタッチセンサ３０の異常状態を検出する検出方法について説明する。コントローラＩＣ４０は、制御部１３からタッチセンサ３０の状態判定の指示が送られると、電極３７の第１電極３７ａ〜第９電極３７ｉと保護電極３９の静電容量値をそれぞれ測定し、それらの静電容量値の順位を検出する。断線のない場合、静電容量値の順位は、各電極の面積の大きさの順位となる。
【００５６】
各電極の面積の大きさの順位を、例えば、保護電極３９＞第４電極３７ｄ＞第５電極３７ｅ＞第６電極３７ｆ＞第１電極３７ａ＞第９電極３７ｉ＞第２電極３７ｂ＞第８電極３７ｈ＞第７電極３７ｇ＞第３電極３７ｃとする。この場合、図９に示すように、正常状態における静電容量値の順位で一位となるのは保護電極３９であり、最下位となるのは第３電極３７ｃである。これらの電極の静電容量値は１ｐＦ〜２ｐＦ程度である。
【００５７】
保護電極３９に断線不良がある場合、断線部位から先の電極面積における静電容量は検出されない。したがって、静電容量の順位において、保護電極３９だけが変動して、一位でなくなる。また、フィルム本体部３１ａとフィルム配線部３１ｂとの接続部Ｐ１ではよく断線が生じる。この接続部Ｐ１で断線が生じた場合、保護電極３９の静電容量はほとんどないので、図１０に示すように、静電容量値の順位において最下位になる。このように、異常検出の基準に用いられる電極の面積が他の電極の面積よりも大きい場合、正常状態と異常状態とで静電容量値の変動幅を大きくすることができ、異常状態の誤検出を低減することができる。
【００５８】
第１０配線４３は、第１配線４１ａ〜第９配線４１ｉよりもフィルム３１の外周縁３１ｄの近くに配置されている。したがって、フィルム３１に切れ目が発生した場合、切れ目はフィルム３１の外周縁から入るので、第１０配線４３は、第１配線４１a〜第９配線４１ｉよりも先に断線しやすい。第１０配線４３が断線すると、保護電極３９の静電容量値は減少する。
【００５９】
また、保護電極３９もフィルム３１の外周に沿って配置され、第１電極３７ａ〜第９電極３７ｉよりもフィルム３１の外周縁３１ｄ近くに配置されている。したがって、フィルム３１に切れ目が発生した場合、保護電極３９も、第１電極３７ａ〜第９電極３７ｉよりも断線しやすい。コントローラＩＣ４０は、保護電極３９の静電容量値の変化に基づいて、第１０配線４３または保護電極３９が断線していることを検出することができる。この結果、フィルム３１に切れ目が入っていることを検出することができ、タッチセンサ３０が異常状態であることを知ることができる。
【００６０】
このように、保護電極３９の静電容量値の順位を検出することで、タッチセンサ３０の異常状態を検出することができる。また、電極３７および保護電極３９における、保護電極３９の静電容量値の順位変化を基準に異常状態を検出することで、ノイズによる誤検出を低減することができる。携帯電話による無線や電子レンジによる強電界からのノイズは保護電極３９だけではなく電極３７にも影響するが、複数の電極における静電容量値の相対的な順位を基準に異常状態を判別するので、保護電極３９の静電容量値だけで異常状態を判別するよりも、ノイズの影響を低減することができる。また、入力部２１により操作されない保護電極３９を設けることで、操作部の形状にとらわれない自由な形状の異常検出用電極を形成することができる。
【００６１】
また、ユーザは、フィルム３１の外周縁に最も近くに配置された保護電極３９および第１０配線４３の断線不良の段階で、タッチセンサ３０の異常状態を知ることができる。炊飯器が異常状態であることを知ったユーザは、切れ目がフィルムの内部にまで進行して配線４１および電極３７が断線して操作部の操作機能が損なわれる前に、修理センターへ修理を依頼することができる。また、この段階であればフィルム３１に切れ目が入った初期の段階であるので、入力部２１の機能は損なわれておらず、ユーザは炊飯器により調理することができる。
【００６２】
本開示は、上記実施形態のものに限らず、次のように変形実施することができる。
【００６３】
（１）上記実施形態において、フィルム３１には保護電極３９が配置されていたが、これに限られない。保護電極３９の配置を省略し、保護電極３９の静電容量値の変化によって異常を検出する代わりに、入力部２１と対向する電極３７のいずれかの電極の静電容量値の変化により異常を検出してもよい。この場合、あまり操作されない入力部に対向する電極の配線を他の配線よりもフィルム３１の外周縁の近くに配置してもよい。また、静電容量値の変化を検出する電極の面積は他の電極よりも大きくてもよい。この場合、静電容量値の変化を検出しやすくなる。保護電極３９を配置しないことで、製造工数削減およびコストカットを達成することができる。
【００６４】
（２）上記実施形態において、静電容量値の順位変化によりタッチセンサ２０の異常状態を検出していたがこれに限られない。コントローラＩＣ４０は、順位変化の代わりに、検出された静電容量値を所定の閾値と比較することで異常状態を検出してもよい。例えば、第１１配線４４が断線した場合、静電容量値の順位変化が起こらない場合でも、検出された静電容量値を所定の閾値と比較することで、第１１配線４４の断線を検出することができる。また、順位変化による異常状態検出と閾値との比較による異常状態検出とを併用してもよい。
【００６５】
（３）上記実施形態において、フィルム配線部３１ｂの左方の外周縁の近くに配置された第１０配線４３に接続された保護電極３９の静電容量値を検出して異常状態を検出していたがこれに限られない。例えば、フィルム配線部３１ｂの右方の外周縁の近くに配置された第７配線４１ｇに接続された第７電極３７ｇの静電容量値に基づいて異常状態を検出してもよい。保護電極３９および第７電極３７ｇいずれか一方だけでもよいし、両方の静電容量値に基づいて異常状態を検出してもよい。
【００６６】
（４）上記実施形態において、コントローラＩＣ４０と配線４１および第１０配線４３とをローパスフィルタＦＬを介して接続してもよい。図１１に示すように、ローパスフィルタＦＬは、例えば、コンデンサＣ１と抵抗器Ｒ１で構成される。コンデンサＣ１は、例えば、５ｐＦであり、抵抗器Ｒ１は、例えば、１０ｋΩである。図１１では、第１配線４１ａとローパスフィルタＦＬとの接続を示しているが、他の配線４１についても同様に接続される。ローパスフィルタＦＬを備えることで、ノイズによるタッチセンサ３０の誤作動を防止することができる。なお、コンデンサＣ１は、コントローラＩＣ４０の内部に設けられてもよい。
【００６７】
（５）上記実施形態において、１つの保護電極３９が全ての電極３７の周囲を囲むように配置されていたが、これに限られない。図１２に示すように、左右に分割された２つの保護電極３９ｄ、３９ｅが、全ての電極３７を周囲を囲むように配置されてもよい。左右それぞれの保護電極３９ｄ、３９ｅに接続される第１０配線４３ａ、第１１配線４４は、配線４１の左右それぞれの外側に配置される。すなわち、第１０配線４３ａおよび第１１配線４４は、配線４１よりもフィルム３１の外周縁の近くに配置されている。また、第１１配線４４は、コントローラＩＣ４０に接続されているので、保護電極３９ｄ、３９ｅの静電容量値に基づいて、タッチセンサ３０の異常状態を検出することができる。これにより、異常状態の検出精度を向上させることができる。
【００６８】
（６）上記実施形態において、保護電極３９とコントローラＩＣ４０とを接続する第１０配線は接続部Ｐ１側に配置されていたが、これに限られない。図１３に示すように、接続部Ｐ２側に配置してもよい。接続部Ｐ２は接続部Ｐ１よりも曲率半径が小さいので、機械的ストレスにより接続部Ｐ２に切れ目が入りやすい。したがって、切れ目が入りやすいところに、第１０配線４３を配置することで、タッチセンサ３０の異常状態を検出しやすくなる。
【００６９】
（７）上記実施形態において、タッチセンサ２０の異常状態は表示部１４のエラー表示によりユーザに報知されていたが、これに限られない。タッチセンサ２０の異常状態をスピーカからの音声案内によりユーザに報知してもよい。また、表示部１４のエラー表示とスピーカからの音声案内とを併用してもよい。
【産業上の利用可能性】
【００７０】
本開示にかかる炊飯器は、圧力式炊飯器に限定されず常圧式炊飯器としても有用であり、また、例えば、家庭用および業務用に用いられる炊飯器としても有用である。
【符号の説明】
【００７１】
１      炊飯器本体
１Ａ    ヒンジ部
１ａ    鍋収納部
１ｂ    上枠
１ｂａ  筒状部
１ｂｂ  フランジ部
１ｂｃ  水タンク収納部
１ｃ    コイルベース
２      鍋
２ａ    フランジ部
３      外蓋
３Ａ    ヒンジ軸
３ａ    外蓋パネル
３ｂ    外蓋本体部
３ｄ    凹部
３ｄａ  蒸気逃がし穴
４      内蓋
４ａ，４ｂ  蒸気排出穴
４ｃ    蒸気供給孔
５      鍋底加熱ユニット（加熱部）
５ａ    底内加熱コイル
５ｂ    底外加熱コイル
６      鍋温度センサ
７      ねじりコイルばね
８      蓋開放装置
８Ａ    フック軸
８Ｂ    開蓋ボタン
９      蒸気筒
９ａ    蒸気逃がし穴
１０      圧力抑制弁
１１      圧力弁
１２      圧力弁移動機構
１３      制御部
１４      表示部
１５      操作部
２１    入力部
２１ａ  第１入力部
２１ｂ  第２入力部
２１ｃ  第３入力部
２１ｄ  第４入力部
２１ｅ  第５入力部
２１ｆ  第６入力部
２１ｇ  第７入力部
２１ｈ  第８入力部
２１ｉ  第９入力部
２３    開きボタン
３０    タッチセンサ
３１    フィルム
３１ａ  フィルム本体部
３１ｂ  フィルム配線部
３１ｃ  位置決め部
３２    粘着シート
３３    基板
３５    基板ホルダ
３７    電極
３７ａ  第１電極
３７ｂ  第２電極
３７ｃ  第３電極
３７ｃａ  貫通孔
３７ｄ  第４電極
３７ｅ  第５電極
３７ｅａ  貫通孔
３７ｆ  第６電極
３７ｆａ  貫通孔
３７ｇ  第７電極
３７ｈ  第８電極
３７ｉ  第９電極
３９    保護電極
３９ａ  左電極部
３９ａａ  前端部
３９ｂ  中央電極部
３９ｃ  右電極部
３９ｃａ  前端部
４０    コントローラＩＣ
４１    配線
４１ａ  第１配線
４１ｂ  第２配線
４１ｃ  第３配線
４１ｄ  第４配線
４１ｅ  第５配線
４１ｆ  第６配線
４１ｇ  第７配線
４１ｈ  第８配線
４１ｉ  第９配線
４３、４３ａ  第１０配線
４４  第１１配線
４５    カーボン膜
【図１】
2019041968.tif 000003
【図２】
2019041968.tif 000004
【図３】
2019041968.tif 000005
【図４】
2019041968.tif 000006
【図５】
2019041968.tif 000007
【図６】
2019041968.tif 000008
【図７】
2019041968.tif 000009
【図８】
2019041968.tif 000010
【図９】
2019041968.tif 000011
【図１０】
2019041968.tif 000012
【図１１】
2019041968.tif 000013
【図１２】
2019041968.tif 000014
【図１３】
2019041968.tif 000015